(57)【特許請求の範囲】
【請求項１】
建物の内部に設置され、荷重を受けて発電すると共に発電が行われたことを示す発電情報を出力する発電装置と、
前記発電装置から供給された電力を蓄える蓄電装置と、
前記建物の内部に設置され、前記発電装置及び前記蓄電装置の少なくとも一方から電力供給されて点灯する照明装置と、
前記建物内部の各部屋に対応した居住者の年齢情報が登録されていると共に、前記発電装置から出力された前記発電情報が前記居住者の位置情報として入力され、該居住者の位置情報及び前記年齢情報に基づいて、該居住者の移動方向にある前記照明装置の点灯、消灯及び点灯時間を制御する制御装置と、
を有し、
前記制御装置は、居住者が老年者であるときは、若年者よりも点灯時間を長くする、
照明装置の点灯制御システム。
【請求項２】
前記制御装置は、平常時とは異なる非常時であることを示す非常時情報を受信可能とされ、前記平常時と前記非常時とで、点灯させる前記照明装置の場所を変更する請求項１に記載の照明装置の点灯制御システム。
【請求項３】
前記制御装置は、前記平常時に前記発電装置及び前記蓄電装置の一方から前記照明装置へ電力を供給させ、前記非常時に前記発電装置及び前記蓄電装置の他方から前記照明装置へ電力を供給させる請求項２に記載の照明装置の点灯制御システム。
【請求項４】
前記照明装置には、点灯色が異なる複数の発光部が設けられ、
前記制御装置は、前記平常時と前記非常時で異なる色の前記発光部を点灯させる請求項２又は請求項３に記載の照明装置の点灯制御システム。
【請求項５】
前記制御装置は、前記非常時の点灯の継続時間と前記平常時の点灯の継続時間とが異なるように前記照明装置を点灯させる請求項２から請求項４のいずれか１項に記載の照明装置の点灯制御システム。
【請求項６】
前記建物の内部には照度を測定する照度測定手段が設けられ、
前記制御装置は、前記照度測定手段で測定された照度が設定した基準照度よりも小さいとき、前記建物の内部の前記照明装置の点灯を前記平常時と前記非常時とで切り替え可能とし、前記照度測定手段で測定された照度が前記基準照度以上のとき、前記建物の内部の前記照明装置を消灯させる請求項２から請求項５のいずれか１項に記載の照明装置の点灯制御システム。
【請求項７】
前記照明装置には、自然エネルギーにより発電する自然エネルギー発電装置の電力及び系統電源の電力が供給可能とされ、
前記制御装置は、前記発電装置の電力、前記蓄電装置の電力、及び前記自然エネルギー発電装置の電力の全てが設定した基準電力以下のとき、前記系統電源の電力で前記照明装置を点灯させ、前記発電装置の電力、前記蓄電装置の電力、及び前記自然エネルギー発電装置の電力のうち少なくとも１つの電力が前記基準電力よりも大きいとき、該基準電力よりも大きい電力が得られる前記発電装置、前記蓄電装置、及び前記自然エネルギー発電装置のうち少なくとも１つで前記照明装置を点灯させ、前記系統電源の電力の使用を停止する請求項１から請求項６のいずれか１項に記載の照明装置の点灯制御システム。
【請求項８】
前記照明装置は、ＬＥＤ照明である請求項１から請求項７のいずれか１項に記載の照明装置の点灯制御システム。
【請求項９】
請求項１から請求項８のいずれか１項に記載の照明装置の点灯制御システムを備えた建物。
【発明の詳細な説明】
【技術分野】
【０００１】
本発明は、照明装置の点灯制御システム及び建物に関する。
【背景技術】
【０００２】
特許文献１の避難誘導照明システムは、部屋の床面となる複数のパネルと、パネルの上面から上方に放射光を出射する光源と、パネルへの圧力によって発電する圧電センサと、圧電センサによって発電された電力を貯蔵する蓄電装置と、蓄電装置の電力が電源として入力され光源を点灯する点灯装置と、非常用信号を受信する受信装置と、受信装置が非常用信号を受信したときに、光源の点灯により部屋の出口への誘導経路が形成されるように点灯装置を制御する制御装置と、を有している。
【０００３】
特許文献１の避難誘導照明システムでは、受信装置が非常用信号を受信したとき、制御装置が光源を点灯させて部屋の出口への誘導経路を形成する。これにより、人を避難誘導方向へ誘導している。
【先行技術文献】
【特許文献】
【０００４】
【特許文献１】特開２０１１−２８６２７号公報
【発明の概要】
【発明が解決しようとする課題】
【０００５】
しかしながら、特許文献１の避難誘導照明システムは、避難時の照明の点灯についてのみ開示されており、平常時も含めた照明の活用については開示されていなかった。このため、平常時に照明を活用できず、建物の居住性を向上させることができなかった。
【０００６】
本発明は、建物の居住性を向上させることができる照明装置の点灯制御システム及び建物を得ることが目的である。
【課題を解決するための手段】
【０００７】
請求項１の発明に係る照明装置の点灯制御システムは、建物の内部に設置され、荷重を受けて発電すると共に発電が行われたことを示す発電情報を出力する発電装置と、前記発電装置から供給された電力を蓄える蓄電装置と、前記建物の内部に設置され、前記発電装置及び前記蓄電装置の少なくとも一方から電力供給されて点灯する照明装置と、前記建物内部の各部屋に対応した居住者の年齢情報が登録されていると共に、前記発電装置から出力された前記発電情報が前記居住者の位置情報として入力され、該居住者の位置情報及び前記年齢情報に基づいて、該居住者の移動方向にある前記照明装置の点灯、消灯及び点灯時間を制御する制御装置と、を有し、前記制御装置は、居住者が老年者であるときは、若年者よりも点灯時間を長くする。
【０００８】
請求項１の発明に係る照明装置の点灯制御システムでは、居住者が建物の内部の通路（廊下や階段等）を使って移動するとき、居住者の荷重を受けて発電装置が発電する。そして、発電によって得られた電力は、蓄電装置に蓄電され又は照明装置に供給される。また、発電装置から出力された発電情報が、居住者の位置情報（居住者が建物のどの場所にいるかという情報）として制御装置に入力される。
【０００９】
ここで、制御装置は、入力された居住者の位置情報に基づいて、居住者の移動方向にある照明装置の点灯及び消灯を制御する。例えば、建物の内部の通路が真っ暗な状態では、居住者の移動方向に設けられている照明装置を点灯させて居住者の移動先を照らす（居住者に移動先を示す）。これにより、居住者は目的の場所へ移動するときに迷わなくて済む。また、他の場所への移動によって居住者がいなくなった場所（通過した場所）では、発電装置から発電情報が出力されないことから、制御装置が照明装置を消灯させる。これにより、居住者が移動元の照明装置を消灯させる必要がなくなる。
【００１０】
このように、居住者が建物の内部の通路を移動するときに、移動先が明確になると共に照明装置の点灯、消灯が自動で行われるので、建物の居住性を向上させることができる。
【００１１】
請求項２の発明に係る照明装置の点灯制御システムは、前記制御装置は、平常時とは異なる非常時であることを示す非常時情報を受信可能とされ、前記平常時と前記非常時とで、点灯させる前記照明装置の場所を変更する。
【００１２】
請求項２の発明に係る照明装置の点灯制御システムでは、例えば、平常時には、制御装置が床側の照明装置を点灯させると共に天井側の照明装置を消灯させる。これにより、移動時に照明が必要な最低限の範囲である足元が照らされるので、居住者が移動可能となると共に照明装置の使用電力を低減することができる。
【００１３】
一方、非常時情報を受信した非常時には、例えば、制御装置が床側の照明装置に加えて天井側の照明装置も点灯させる。このように、非常時に平常時とは異なる場所の照明装置が点灯することで、建物の内部の居住者に非常時であることを認識させることができる。さらに、平常時とは異なる場所の照明装置が点灯することで、建物の内部の居住者に非難方向を明確に指し示すことができる。
【００１４】
請求項３の発明に係る照明装置の点灯制御システムは、前記制御装置は、前記平常時に前記発電装置及び前記蓄電装置の一方から前記照明装置へ電力を供給させ、前記非常時に前記発電装置及び前記蓄電装置の他方から前記照明装置へ電力を供給させる。
【００１５】
請求項３の発明に係る照明装置の点灯制御システムでは、例えば、平常時に蓄電装置から照明装置へ電力供給し、非常時に蓄電装置から発電装置へ切り換えて、発電装置から照明装置へ電力供給する。これにより、蓄電装置に蓄えられている電力を平常時に使い切っていたとしても、非常時に居住者の荷重を受けた発電装置から照明装置へ電力供給されるので、非常時に照明装置へ供給される電力が不足するのを防ぐことができる。
【００１６】
一方、平常時に居住者の荷重を受けた発電装置から照明装置へ電力供給し、非常時に発電装置から蓄電装置へ切り換えて、蓄電装置から照明装置へ電力供給する場合は、平常時に発電装置で得られる発電量（電力）が少ない構成であっても、非常時は蓄電装置から照明装置へ十分な量の電力が供給されるので、非常時に照明装置へ供給される電力が不足するのを防ぐことができる。
【００１７】
請求項４の発明に係る照明装置の点灯制御システムは、前記照明装置には、点灯色が異なる複数の発光部が設けられ、前記制御装置は、前記平常時と前記非常時で異なる色の前記発光部を点灯させる。
【００１８】
請求項４の発明に係る照明装置の点灯制御システムでは、非常時において、照明装置では平常時の色とは異なる色の発光部が発光する。そして、居住者は、照明装置が異なる色で発光していることから非常時であることを認識する。これにより、居住者に非常時であることを知らせることができる。
【００１９】
請求項５の発明に係る照明装置の点灯制御システムは、前記制御装置は、前記非常時の点灯の継続時間と前記平常時の点灯の継続時間とが異なるように前記照明装置を点灯させる。
【００２０】
請求項５の発明に係る照明装置の点灯制御システムでは、非常時において、照明装置は、平常時の点灯の継続時間よりも長い点灯の継続時間（又は短い点灯の継続時間）で発光する。そして、居住者は、点灯の継続時間の違いを認識することで、非常時であることを知る。これにより、居住者に非常時であることを知らせることができる。また、若者と年配者（あるいは体格が大柄な人と小柄な人）とでは歩行速度が異なるが、予め居住者に関する情報を制御装置に設定しておけば、歩行速度が遅い年配者が移動する場合であっても、非常時に照明装置を長時間点灯させることで避難先を認識させることができる。
【００２１】
請求項６の発明に係る照明装置の点灯制御システムは、前記建物の内部には照度を測定する照度測定手段が設けられ、前記制御装置は、前記照度測定手段で測定された照度が設定した基準照度よりも小さいとき、前記建物の内部の前記照明装置の点灯を前記平常時と前記非常時とで切り替え可能とし、前記照度測定手段で測定された照度が前記基準照度以上のとき、前記建物の内部の前記照明装置を消灯させる。
【００２２】
請求項６の発明に係る照明装置の点灯制御システムでは、照度測定手段で測定された建物の内部の照度が基準照度よりも小さいとき、制御装置は、建物の内部の照明装置の制御設定（点灯設定）を平常時から非常時へ切り替え可能となっている。このため、基準照度以下の状態で平常時から非常時へと状況が変わった場合には、建物の内部の照明装置が非常時の点灯設定で点灯する。
【００２３】
一方、照度測定手段で測定された建物の内部の照度が基準照度以上のとき、制御装置は、建物の内部の照明装置を消灯させる。ここで、建物の内部の照度が基準照度以上のときは、建物の内部に必要とされる明るさが確保されているので、照明装置を消灯させても、居住者が通路（移動先）を認識することができる。これにより、非常時において通路全体を照明する必要が無くなり、無駄な電力消費を抑制することができる。
【００２４】
請求項７の発明に係る照明装置の点灯制御システムは、前記照明装置には、自然エネルギーにより発電する自然エネルギー発電装置の電力及び系統電源の電力が供給可能とされ、前記制御装置は、前記発電装置の電力、前記蓄電装置の電力、及び前記自然エネルギー発電装置の電力の全てが設定した基準電力以下のとき、前記系統電源の電力で前記照明装置を点灯させ、前記発電装置の電力、前記蓄電装置の電力、及び前記自然エネルギー発電装置の電力のうち少なくとも１つの電力が前記基準電力よりも大きいとき、該基準電力よりも大きい電力が得られる前記発電装置、前記蓄電装置、及び前記自然エネルギー発電装置のうち少なくとも１つで前記照明装置を点灯させ、前記系統電源の電力の使用を停止する。
【００２５】
請求項７の発明に係る照明装置の点灯制御システムでは、制御装置は、発電装置の電力、蓄電装置の電力、及び自然エネルギー発電装置の電力の全て（総和の電力ではなく個々の電力全て）が、予め設定した基準電力（居住者の移動先の照明装置を点灯させるのに必要とされる電力）以下のとき、系統電源の電力で照明装置を点灯させる。これにより、発電装置の電力、蓄電装置の電力、自然エネルギー発電装置の電力が、照明装置を点灯させるのに不十分な量であっても、照明装置を点灯させることができる。
【００２６】
また、制御装置は、発電装置の電力、蓄電装置の電力、及び自然エネルギー発電装置の３つの電力のうち少なくとも１つの電力が基準電力よりも大きいとき、３つの電力のうち基準電力よりも大きい電力が得られる装置を使って照明装置を点灯させる。これにより、有料である系統電源の電力を無駄に使用することが抑制され、電気代を低減（節約）することができる。
【００２７】
請求項８の発明に係る照明装置の点灯制御システムは、前記照明装置は、ＬＥＤ照明である。
【００２８】
請求項８の発明に係る照明装置の点灯制御システムでは、照明装置がＬＥＤ照明なので、白熱灯を用いる構成に比べて消費電力が低くなる。これにより、照明装置の点灯に必要な電力を低減することができる。
【００３２】
請求項９の発明に係る建物は、請求項１から請求項８のいずれか１項に記載の照明装置の点灯制御システムを備えている。
【００３３】
請求項９の発明に係る建物では、照明装置の点灯制御システムによって建物の居住性を向上させることができる。
【発明の効果】
【００３４】
以上説明したように、請求項１に記載の本発明に係る照明装置の点灯制御システムによれば、建物の居住性を向上させることができるという優れた効果を有する。
【００３５】
請求項２に記載の本発明に係る照明装置の点灯制御システムによれば、居住者に非常時であることを認識させることができるという優れた効果を有する。
【００３６】
請求項３に記載の本発明に係る照明装置の点灯制御システムによれば、非常時に照明装置へ供給される電力が不足するのを防ぐことができるという優れた効果を有する。
【００３７】
請求項４に記載の本発明に係る照明装置の点灯制御システムによれば、居住者に非常時であることを知らせることができるという優れた効果を有する。
【００３８】
請求項５に記載の本発明に係る照明装置の点灯制御システムによれば、居住者に非常時であることを知らせることができるという優れた効果を有する。
【００３９】
請求項６に記載の本発明に係る照明装置の点灯制御システムによれば、無駄な電力消費を抑制することができるという優れた効果を有する。
【００４０】
請求項７に記載の本発明に係る照明装置の点灯制御システムによれば、発電装置の電力、蓄電装置の電力、自然エネルギー発電装置の電力が照明装置を点灯させるのに不十分な量であっても、照明装置を点灯させることができると共に、電気代を低減することができるという優れた効果を有する。
【００４１】
請求項８に記載の本発明に係る照明装置の点灯制御システムによれば、照明装置の点灯に必要な電力を低減することができるという優れた効果を有する。
【００４３】
請求項９に記載の本発明に係る建物によれば、居住性を向上させることができるという優れた効果を有する。
【図面の簡単な説明】
【００４４】
【図１】第１実施形態に係る建物の一階の間取り図である。
【図２】第１実施形態に係る建物の二階の間取り図である。
【図３】第１実施形態に係る点灯システムの各構成の接続状態を示すブロック図である。
【図４】第１実施形態に係る発電装置が建物の床に設置された状態を示す斜視図である。
【図５】（Ａ）第１実施形態に係る建物の二階廊下部分の透視図である。（Ｂ）第１実施形態に係る建物の階段部分の透視図である。
【図６】（Ａ）第１実施形態に係る照明装置の構成を示す模式図である。（Ｂ）第１実施形態に係る照明装置が異なる色で発光する状態を示す模式図である。
【図７】（Ａ）第１実施形態に係る照明装置を連続的に発光させると共に発光時間の長さを変更した状態を示すタイミングチャートである。（Ｂ）第１実施形態に係る照明装置を断続的に発光させると共に発光時間の長さを変更した状態を示すタイミングチャートである。
【図８】（Ａ）第１実施形態に係る建物の二階廊下部分における夜間平常時の照明装置の点灯状態を示す説明図である。（Ｂ）第１実施形態に係る建物の二階廊下部分における夜間非常時の照明装置の点灯状態を示す説明図である。
【図９】（Ａ）第１実施形態に係る建物の階段部分における夜間平常時の照明装置の点灯状態を示す説明図である。（Ｂ）第１実施形態に係る建物の階段部分における夜間非常時の照明装置の点灯状態を示す説明図である。
【図１０】第２実施形態に係る点灯システムの各構成の接続状態を示すブロック図である。
【図１１】第３実施形態に係る建物の階段部分の透視図である。
【図１２】第３実施形態に係る点灯システムの各構成の接続状態を示すブロック図である。
【図１３】（Ａ）第３実施形態に係る建物の階段部分における夜間平常時の照明装置の点灯状態を示す説明図である。（Ｂ）第３実施形態に係る建物の階段部分における夜間非常時の照明装置の点灯状態を示す説明図である。
【図１４】本発明の参考例に係る点灯システムの各構成の接続状態を示すブロック図である。
【図１５】（Ａ）本発明の参考例実施形態に係る建物外部の駐車場を示す模式図である。（Ｂ）本発明の参考例実施形態に係る建物外部の駐車場に設けられた発電装置及び照明装置を示す模式図である。
【図１６】（Ａ）〜（Ｄ）本発明の参考例実施形態に係る建物外部の駐車場に車両を駐車するときの照明装置の点灯状態を示す説明図である。
【発明を実施するための形態】
【００４５】
（第１実施形態）
本発明の第１実施形態に係る照明装置の点灯制御システム及び建物の一例について説明する。
【００４６】
図１に示す第１実施形態の建物１０は、一例として二階建てであり、一階の南側中央部分に玄関１２が設けられ、玄関１２の北側に玄関ホール１４及び階段ホール５０が設けられている。また、玄関ホール１４の東側には、南側から北側へ向けて順にリビング１６Ａ、ダイニング１６Ｂ、及びキッチン１６Ｃが設けられており、玄関ホール１４の西側には、南側から北側へ向けて順に和室１８Ａ、トイレ１８Ｂ、及び浴室１８Ｃが設けられている。
【００４７】
玄関ホール１４の床１４Ａ及び玄関ホール１４からトイレ１８Ｂへ延びる廊下１９における図示の斜線領域Ｐには、発電装置の一例としての圧電装置３０（詳細は後述する）が設けられている。また、玄関ホール１４の床１４Ａ及び階段ホール５０には、点線Ｌで示す部位及びその周辺に照明装置４０（詳細は後述する）が設けられている。なお、照明装置４０の点灯により明るく照らされる範囲の一部が、二点鎖線ＬＡで示されている。
【００４８】
また、リビング１６Ａにおける東側の壁１７の外側（建物１０の外側）には、照明装置４０の点灯等の制御を行う制御装置２２と、電力を蓄えるための蓄電装置２４とが設けられている。さらに、壁１７の内側には、制御装置２２の各種設定が変更可能とされ、建物１０内部の電力供給状態等を確認できるモニタ（図示省略）を備えた設定パネル２６が設けられている。
【００４９】
ここで、圧電装置３０、蓄電装置２４、照明装置４０、及び制御装置２２を含んで、照明装置の点灯制御システムの一例としての点灯システム２０が構成されている。そして、本実施形態では一例として、点灯システム２０が、建物１０の内部の電力供給、消費電力を管理するＨＥＭＳ（Ｈｏｍｅ  Ｅｎｅｒｇｙ  Ｍａｎａｇｅｍｅｎｔ  Ｓｙｓｔｅｍ）に組み込まれており、ＨＥＭＳの一部として動作する。
【００５０】
図２に示すように、建物１０の二階の北側中央部分には、既述の階段ホール５０が設けられており、階段ホール５０の南側には、東西に長い廊下６２が設けられている。廊下６２の東側には、第１寝室６４が設けられており、廊下６２の南側には、階段ホール５０に近い側に第２寝室６６、及び階段ホール５０から遠い側に第３寝室６８が設けられている。そして、廊下６２の北側で且つ階段ホール５０の西側には、トイレ７２及び倉庫７４が設けられている。
【００５１】
廊下６２における図示の斜線領域Ｐには、圧電装置３０が設けられている。また、廊下６２には、点線Ｌで示す部位及びその周辺に照明装置４０が設けられている。そして、照明装置４０の点灯により明るく照らされる範囲の一部が二点鎖線ＬＡで示されている。なお、本実施形態では一例として、第２寝室６６で若い居住者が生活しており、第３寝室６８で年配の居住者が生活しているものとする。これらの居住者情報は、制御装置２２（図１参照）に登録されている。また、第１寝室６４の居住者については、説明を省略する。
【００５２】
次に、点灯システム２０の全体構成について説明する。
【００５３】
図３には、点灯システム２０の概略がブロック図で示されている。図３では、電力の流れが実線の矢印で示されており、情報（信号）の流れが破線の矢印で示されている。点灯システム２０では、圧電装置３０が居住者の荷重を受けて発電したとき、発電したことを知らせる発電情報（矢印Ｍ１）が、制御装置２２へ送られる。また、蓄電装置２４に蓄えられている電力量の情報（矢印Ｍ２）が、制御装置２２へ送られるようになっている。
【００５４】
圧電装置３０で生じた電力は、後述する切換部２３及び蓄電装置２４の少なくとも一方に供給されるようになっている。なお、圧電装置３０で生じた電力の供給先（蓄電装置２４又は切換部２３は、一例として、制御装置２２からの指示情報（設定パネル２６の設定による）によって切り換えられる。そして、蓄電装置２４に蓄えられている電力は切換部２３へ供給される。
【００５５】
一方、制御装置２２は、圧電装置３０で発電された電力及び蓄電装置２４で蓄えられた電力のどちらを使用するかという切換情報（矢印Ｍ３）を、切換部２３へ送る設定となっている。さらに、制御装置２２は、切換部２３へ供給された電力を照明装置４０、及び建物１０（図１参照）内部で使用する家電機器２５のどちらへ供給するかという供給先情報（矢印Ｍ４）を切換部２３へ送る設定となっている。なお、本実施形態では一例として、蓄電装置２４に蓄えられた電力量が予め設定した電力量を上回り、且つ切換部２３で蓄電装置２４から供給された電力を使用する場合において、家電機器２５へ電力供給する設定となっており、通常は、切換部２３から照明装置４０へ電力供給される。このように、切換部２３は、制御装置２２からの指示により電力の流れを切り換えるようになっている。
【００５６】
また、制御装置２２には、非常時を知らせる非常時情報を受信するアンテナを含む受信装置２７が接続されている。そして、制御装置２２は、受信装置２７が非常時情報を受信して、この非常時情報（矢印Ｍ５）を受け取ったとき、後述する非常時モードで照明装置４０の点灯を制御する。なお、以後の説明では、建物１０（図１、２参照）の居住者に被害が及ぶ恐れのない（日常生活に影響のない）状態を平常時とする。そして、平常時とは異なり、火災、地震、停電等、居住者に被害が及ぶ恐れがある（日常生活に支障が出る）状態となったときを非常時として、平常時と区別する。
【００５７】
次に、圧電装置３０について説明する。
【００５８】
図４には、二階の廊下６２に設けられた複数の圧電装置３０が示されている。なお、一階の床１４Ａ及び廊下１９（図１参照）にも複数の圧電装置３０が設けられているが、二階と同様の構成及び設置状態であるため説明を省略する。
【００５９】
圧電装置３０は、下地部材３２と、下地部材３２の上側で縦横に複数並べられた圧電センサ３４と、複数の圧電センサ３４の上側を覆う被覆部材３６と、を含んで構成されており、廊下６２の中央に形成された溝部６３に嵌め込まれて設置されている。下地部材３２は、一例として、木材で構成されているが、金属で構成されていてもよい。また、被覆部材３６は、一例として、３０ｃｍ×３０ｃｍの正方形状のアクリルパネルで構成されており、被覆部材３６の上面が廊下６２の上面と面一となる（高さが揃えられる）ように設置されている。
【００６０】
圧電センサ３４は、荷重（圧力）を受けたとき、その受けた圧力に応じた電力を発生させ、蓄電装置２４及び切換部２３（図３参照）の少なくとも一方へ出力するようになっている。また、各圧電センサ３４の配置（例えば縦横の位置）は、制御装置２２（図３参照）によって管理されており、制御装置２２では、発電が行われた圧電センサ３４の場所が特定できるようになっている。なお、圧電センサ３４は、被覆部材３６上に載った居住者が誰であっても（重量が異なっても）、照明装置４０（図１、２参照）を点灯させるのに必要な電力を発電できるようになっている。
【００６１】
次に、照明装置４０について説明する。
【００６２】
図５（Ａ）には、二階に設けられた照明装置４０が示されている。なお、一階の照明装置４０については、二階と同様の構成及び設置状態であるため説明を省略する。
【００６３】
二階の照明装置４０は、一例として、廊下６２の端部（階段ホール５０に隣接する位置）で上面に露出して設けられた複数のＬＥＤ照明４０Ａと、第２寝室６６及び第３寝室６８（図２参照）側の壁６５の下端部に廊下６２に沿って設けられた複数のＬＥＤ照明４０Ｂと、天井６７で壁６５の上端部に隣接すると共に壁６５に沿って設けられた複数のＬＥＤ照明４０Ｃと、第１寝室６４（図２参照）の入口上部の壁６９に天井６７に沿って設けられた複数のＬＥＤ照明４０Ｄと、を含んで構成されている。なお、倉庫７４の入口付近にもＬＥＤ照明４０Ｂが設けられている。
【００６４】
複数のＬＥＤ照明４０Ａ、４０Ｂ、４０Ｃ、４０Ｄは、いずれも直線上に配置されており、これらの配置方向（配列方向）は、居住者が移動すべき方向となっている。そして、複数のＬＥＤ照明４０Ａ、４０Ｂ、４０Ｃ、４０Ｄがそれぞれ直線上に配置されていることから、居住者は、複数のＬＥＤ照明４０Ａ、４０Ｂ、４０Ｃ、４０Ｄを視認することで、廊下６２の形状、即ち建物１０内部の形状を認識可能となっている。
【００６５】
図５（Ｂ）には、階段ホール５０が示されている。階段ホール５０は、東側の壁５２と、北側の壁５４と、西側の壁５６とで三方が囲まれて形成されており、壁５４には、採光用の窓５８が設けられている。また、階段ホール５０には、複数の踏板５３で構成された階段５１が設けられている。各踏板５３には、それぞれの踏板５３の大きさ及び形状に合わせて既述の圧電装置３０が設けられており、居住者の荷重を受けて発電可能となっている。
【００６６】
さらに、階段ホール５０には、複数の照明装置４０が設けられている。階段ホール５０の照明装置４０は、壁５２の上部で天井６７（図５（Ａ）参照）に沿って設けられた複数のＬＥＤ照明４０Ｅ、４０Ｆと、壁５２の下部で階段５１に沿って階段状に設けられた複数のＬＥＤ照明４０Ｇと、壁５４の上部で天井６７に沿って設けられた複数のＬＥＤ照明４０Ｈと、壁５４の下部で階段５１に沿って階段状に設けられた複数のＬＥＤ照明４０Ｉと、壁５６の上部で天井６７に沿って設けられた複数のＬＥＤ照明４０Ｊと、壁５６の下部で階段５１に沿って階段状に設けられた複数のＬＥＤ照明４０Ｋと、を含んで構成されている。
【００６７】
なお、壁５２における複数のＬＥＤ照明４０Ｅ、４０Ｆは、この順番で北側から南側へ配置されており、複数のＬＥＤ照明４０Ｅは、天井６７（図５（Ａ）参照）とほぼ平行に配置されている。そして、複数のＬＥＤ照明４０Ｆは、ＬＥＤ照明４０Ｅに隣接する位置から二階のＬＥＤ照明４０Ｄ（図５（Ａ）参照）へ向けて、斜め上方へ並ぶように配置されている。
【００６８】
ここで、図５（Ａ）及び図５（Ｂ）において、照明装置４０を構成する複数のＬＥＤ照明４０Ａ〜４０Ｋは、いずれも同様の構成となっている。このため、ＬＥＤ照明４０Ａについて説明し、ＬＥＤ照明４０Ｂ〜４０Ｋの説明は省略する。
【００６９】
図６（Ａ）に示すように、ＬＥＤ照明４０Ａは、発光部の一例としての２種類のＬＥＤ電球４２、４３を有している。ＬＥＤ電球４２は、点灯色が白色であり、ＬＥＤ電球４３は、点灯色が赤色となっている。そして、ＬＥＤ照明４０Ａは、図６（Ｂ）に示すように、ＬＥＤ電球４２、４３をそれぞれ単独で点灯可能となっており、後述する平常時にＬＥＤ電球４２が点灯し（矢印Ｓ１で示す）、非常時にＬＥＤ電球４３が点灯する（矢印Ｓ２で示す）ようになっている。なお、ＬＥＤ電球４２、４３について、破線が消灯状態を表しており、実線が点灯状態を表している。また、以後の説明では、照明装置４０の点灯について、ＬＥＤ電球４２、４３の記載を省略して単に白色点灯、赤色点灯と記載する。
【００７０】
次に、制御装置２２における照明装置４０の点灯設定について説明する。
【００７１】
図７（Ａ）には、第２寝室６６（図２参照）の若い居住者が平常時に廊下６２及び階段５１（図２参照）を歩くときの照明装置４０（図６参照）の点灯状態を示すチャートＡと、第３寝室６８（図２参照）の年配の居住者が平常時に廊下６２及び階段５１を歩くときの照明装置４０の点灯状態を示すチャートＢとが示されている。なお、チャートＡ、Ｂは、１つの圧電装置３０（図４参照）が踏まれているときの点灯状態を表している。
【００７２】
また、チャートＡは、照明装置４０の１回当たりの点灯における点灯継続時間がｔ１のタイミングチャートであり、チャートＢは、照明装置４０の１回当たりの点灯における点灯継続時間がｔ２（＞ｔ１）のタイミングチャートである。即ち、年配の居住者が廊下６２及び階段５１を歩くときに照明装置４０が点灯している時間（ｔ２）は、若い居住者が廊下６２及び階段５１を歩くときに照明装置４０が点灯している時間（ｔ１）よりも長くなっている。
【００７３】
一方、図７（Ｂ）には、第２寝室６６（図２参照）の若い居住者が非常時に廊下６２及び階段５１（図２参照）を歩くときの照明装置４０（図６参照）の点灯状態を示すチャートＣと、第３寝室６８（図２参照）の年配の居住者が非常時に廊下６２及び階段５１を歩くときの照明装置４０の点灯状態を示すチャートＤとが示されている。なお、チャートＣ、Ｄは、１つの圧電装置３０（図４参照）が踏まれているときの点灯状態を表している。
【００７４】
また、チャートＣは、照明装置４０の一度の点灯時間（ただし複数回点滅する）がｔ１のタイミングチャートであり、チャートＤは、照明装置４０の一度の点灯時間（ただし複数回点滅する）がｔ２（＞ｔ１）のタイミングチャートである。なお、チャートＡ〜Ｄは、制御装置２２内に予め設定されている。
【００７５】
ここで、表１には、時間帯、居住者、状況（通常時、非常時）に合わせて設定された照明装置４０（図６参照）の点灯継続時間、点灯位置、点灯色、及び使用電源の一覧が示されている。これらの設定は一例であり、予め制御装置２２（図３参照）に設定されている。なお、居住者が変わったとき等に設定を変更する場合は、設定パネル２６（図３参照）で設定変更（登録変更）を行う。
【００７６】
【表１】
0005844122.tif 000002
【００７７】
なお、点灯システム２０では、制御装置２２が、切換部２３（図３参照）を切り換えることにより、平常時に圧電装置３０から照明装置４０へ電力を供給させ、非常時に蓄電装置２４から照明装置４０へ電力を供給させるようになっている。なお、非常時において、蓄電装置２４の蓄えている電力が不足する場合には、圧電装置３０による電力も使用可能となっている。
【００７８】
（作用）
次に、第１実施形態の作用について説明する。
【００７９】
図１〜５及び表１に示すように、一例として、７時から１７時までの時間帯では、建物１０の外部及び内部が明るいため照明装置４０を点灯させず、居住者の歩行により圧電装置３０で発生した電力を全て蓄電装置２４に蓄電（充電）する。一方、１７時から翌朝７時までの時間帯には、建物１０の外部及び内部が暗いため照明装置４０を点灯させる。なお、建物１０の外部の明暗は、季節によって時間帯が変化するため、設定変更が必要とされるときに居住者が設定パネル２６で設定変更すればよい。また、予め制御装置２２に月毎の時間帯（切り換えを行う時間帯）を設定しておいてもよい。
【００８０】
（平常時の照明装置４０の点灯）
図３、図８（Ａ）、及び表１に示すように、１７時から翌朝７時までの時間帯の平常時において、居住者Ｍが廊下６２を使って移動するとき、居住者Ｍの荷重によって圧電装置３０が発電する。そして、圧電装置３０の発電によって得られた電力は、照明装置４０に供給される。また、圧電装置３０から出力された発電情報（どの場所の圧電装置３０が発電を行ったかという情報）が、居住者Ｍの位置情報として制御装置２２に入力される。
【００８１】
ここで、制御装置２２は、一例として、第３寝室６８（図２参照）前の圧電装置３０で発電が行われたことを検出したとき、廊下６２に存在する居住者Ｍが、第３寝室６８の年配者であると判断する。そして、入力された居住者Ｍの位置情報に基づいて、居住者Ｍの移動方向にある照明装置４０を白色点灯（一例として１５秒間継続する点灯）させ、居住者Ｍの移動先を照らす（居住者Ｍに移動先を示す）。なお、平常時は、複数のＬＥＤ照明４０Ａ、４０Ｂを点灯させ、居住者Ｍの周辺で特に足元を照らす。
【００８２】
また、図８（Ａ）では、一例として、複数のＬＥＤ照明４０Ａ、４０Ｂを全て点灯させた状態が示されているが、これに限らず、他の例として、居住者Ｍに対して移動方向の４、５個程度のＬＥＤ照明４０Ａ、４０Ｂを点灯させるようにしてもよい。そして、照明装置４０は、移動する居住者Ｍの前方の数個が、居住者Ｍの移動に合わせて順次、場所をずらして点灯していく。これにより、廊下６２のいずれの場所であっても、居住者Ｍの足元を照らすことができる。なお、図の網掛けは建物１０内部が暗い状態を表しており、白色で示す部分が照明装置４０による発光部分を表している。また、実際には、居住者Ｍの足元が明るくなる程度の範囲まで照明装置４０の光が広がっているが、図では照明装置４０周辺が明るくなっている状態で示している。
【００８３】
本実施形態では、さらに、居住者Ｍが廊下６２を移動しているときに階段ホール５０側のＬＥＤ照明４０Ｆを数個点灯させる。これにより、廊下６２を東へ（図示の奥側へ）移動する居住者Ｍは、廊下６２の奥側に左斜め下方へ向かう発光点を視認することになる。これにより、居住者Ｍは、予め階段ホール５０の位置を認識することができ、急な階段の出現で転倒するようなことを防ぐことができる。
【００８４】
続いて、図３、図９（Ａ）、及び表１に示すように、７時から１７時までの時間帯で平常時において、居住者Ｍが階段５１を使って移動するとき、居住者Ｍの荷重によって圧電装置３０が発電する。そして、圧電装置３０の発電によって得られた電力は、照明装置４０に供給される。また、圧電装置３０から出力された発電情報が、居住者Ｍの位置情報として制御装置２２に入力される。
【００８５】
ここで、制御装置２２は、入力された居住者Ｍの位置情報（例えば、階段５１の中央部分にいるという位置情報）に基づいて、居住者の移動方向にある照明装置４０を点灯させ、居住者Ｍの移動先を照らす。なお、平常時は、複数のＬＥＤ照明４０Ｇ、４０Ｉ、及び４０Ｋを点灯させ、居住者Ｍの周辺で特に足元を照らす。また、図９（Ａ）では、一例として、複数のＬＥＤ照明４０Ｇ、４０Ｉ、及び４０Ｋを全て点灯させた状態が示されているが、これに限らず、他の例として、居住者Ｍに対して移動方向の４、５個程度のＬＥＤ照明４０Ｇ、４０Ｉ、及び４０Ｋを点灯させるようにしてもよい。
【００８６】
このようにして、建物１０では、内部が暗いときに居住者Ｍの移動を自動で検出すると共に、圧電装置３０の発電によって照明装置４０を点灯させ、居住者Ｍの移動すべき方向を指し示す。これにより、居住者Ｍは、廊下６２や階段ホール５０の照明装置４０のスイッチを探す必要がなくなる。そして、居住者Ｍは、照明装置４０が点灯された方向へ移動することで、目的の場所へ迷わずに移動することができる。
【００８７】
また、居住者Ｍが既に他の場所へ移動して、居なくなった場所では、圧電装置３０から発電情報が出力されないことから、制御装置２２が照明装置４０を消灯させる。これにより、居住者Ｍが移動元の照明装置４０を消灯させる必要がなくなると共に、移動後の点灯が不要な場所の照明装置４０における無駄な点灯（点けっぱなし）による電力消費を抑えることができる。
【００８８】
このように、点灯システム２０では、居住者Ｍが建物１０の内部の通路（廊下６２、階段ホール５０等）を移動するときに、移動先が自動で明確になると共に照明装置４０の点灯、消灯が自動で行われるので、建物１０における居住者Ｍの居住性を向上させることができる。
【００８９】
さらに、点灯システム２０では、平常時において、制御装置２２が廊下６２側の照明装置４０を点灯させると共に天井６７側の照明装置４０を消灯させている。これにより、居住者Ｍの移動時に照明が必要な最低限の範囲である足元が照らされ居住者Ｍが移動可能となると共に、照明装置４０の使用電力を低減することができる。
【００９０】
（非常時の照明装置４０の点灯）
一方、図３、図８（Ｂ）、及び表１に示すように、１７時から翌朝７時までの時間帯の非常時において、居住者Ｍが廊下６２を使って移動するとき、居住者Ｍの荷重によって圧電装置３０が発電する。そして、圧電装置３０の発電によって得られた電力は、蓄電装置２４に供給され、蓄電装置２４から照明装置４０へ電力供給される。また、圧電装置３０から出力された発電情報（どの場所の圧電装置３０が発電を行ったかという情報）が、居住者Ｍの位置情報として制御装置２２に入力される。
【００９１】
ここで、制御装置２２は、一例として、第３寝室６８（図２参照）前の圧電装置３０で発電が行われたことを検出した場合、廊下６２に存在する居住者Ｍが、第３寝室６８の年配者であると判断する。そして、入力された居住者Ｍの位置情報に基づいて、居住者Ｍの移動方向にある照明装置４０を赤色点灯（一例として２０秒間継続する点灯）させ、居住者Ｍの移動先を照らす（居住者Ｍに移動先を示す）。居住者Ｍは、平常時よりも長い点灯時間で照明装置４０が点灯することで、非常時を認識すると共にあわてずに移動することができる。なお、もともと点灯時間が長めに設定されている場合は、平常時と同じ点灯継続時間で照明装置４０を点灯させてもよい。また、点灯時間を数十分等、極端に長い時間とした場合は、実質的に居住者Ｍの避難完了まで照明装置４０が点灯することになる。
【００９２】
また、制御装置２２は、他の例として、第２寝室６６（図２参照）前の圧電装置３０で発電が行われたことを検出した場合、廊下６２に存在する居住者Ｍが、第２寝室６６の若者であると判断する。そして、入力された居住者Ｍの位置情報に基づいて、居住者Ｍの移動方向にある照明装置４０を赤色点灯（一例として７秒間継続する点灯）させ、居住者Ｍの移動先を照らす（居住者Ｍに移動先を示す）。
【００９３】
なお、非常時は、制御装置２２が、複数のＬＥＤ照明４０Ａ、４０Ｂに加えて、複数のＬＥＤ照明４０Ｃ、４０Ｄ、４０Ｆを赤色点灯させる。これにより、居住者Ｍの周辺だけでなく、避難経路全体が点灯されるので、移動する（避難する）居住者Ｍは、避難先を明確に認識することができる。また、非常時であることをより明確に居住者Ｍに示すために、ＬＥＤ照明４０Ａ、４０Ｂ、４０Ｃ、４０Ｄ、４０Ｆを赤色で点滅発光（図７（Ｂ）参照）させてもよい。さらに、非常時のＬＥＤ照明４０Ａ、４０Ｂ、４０Ｃ、４０Ｄ、４０Ｆの点灯継続時間を平常時よりも長く又は短くして、平常時と区別させてもよい。
【００９４】
図８（Ｂ）では、一例として、複数のＬＥＤ照明４０Ａ、４０Ｂ、４０Ｃ、４０Ｄ、４０Ｆを全て点灯させた状態が示されているが、これに限らず、他の例として、居住者Ｍに対して移動方向の４、５個程度のＬＥＤ照明４０Ａ、４０Ｂ、４０Ｃ、４０Ｄ、４０Ｆを点灯させるようにしてもよい。そして、照明装置４０は、移動する居住者Ｍの前方の数個が、居住者Ｍの移動に合わせて順次点灯していく。これにより、廊下６２のいずれの場所であっても、避難経路を照らすことができる。
【００９５】
また、居住者Ｍが廊下６２を移動しているとき、階段ホール５０側のＬＥＤ照明４０Ｆが赤色点灯する。そして、廊下６２を東へ移動する居住者Ｍは、廊下６２の奥側に左斜め下方へ向かう赤色の発光点を視認することになる。これにより、居住者Ｍは、予め階段ホール５０の位置を認識することができ、急な階段の出現で転倒するようなことを防ぐことができる。
【００９６】
続いて、図３、図９（Ｂ）、及び表１に示すように、１７時から翌朝７時までの時間帯の非常時において、居住者Ｍが階段５１を使って移動するとき、居住者Ｍの荷重によって圧電装置３０が発電する。そして、圧電装置３０の発電によって得られた電力は、蓄電装置２４に供給され、蓄電装置２４から照明装置４０へ電力供給される。また、圧電装置３０から出力された発電情報が、居住者Ｍの位置情報として制御装置２２に入力される。
【００９７】
ここで、制御装置２２は、廊下６２（図８（Ａ）参照）を移動してきた居住者Ｍの情報に基づいて、一例として、階段５１に存在する居住者Ｍが年配者であると判断する。そして、入力された居住者Ｍの位置情報に基づいて、居住者Ｍの移動方向にある照明装置４０を赤色点灯（一例として１５秒間継続する点灯）させ、居住者Ｍの移動先を照らす（居住者Ｍに移動先を示す）。居住者Ｍは、平常時よりも長い点灯時間で照明装置４０が点灯することで、あわてずに移動することができる。
【００９８】
また、制御装置２２は、廊下６２（図８（Ａ）参照）を移動してきた居住者Ｍの情報に基づいて、他の例として、階段５１に存在する居住者Ｍが若者であると判断する。そして、入力された居住者Ｍの位置情報に基づいて、居住者Ｍの移動方向にある照明装置４０を赤色点灯（一例として３秒間継続する点灯）させ、居住者Ｍの移動先を照らす（居住者Ｍに移動先を示す）。
【００９９】
なお、非常時は、制御装置２２が、複数のＬＥＤ照明４０Ｇ、４０Ｉ、４０Ｋに加えて、複数のＬＥＤ照明４０Ｅ、４０Ｆ、４０Ｈ、４０Ｊを赤色点灯させる。これにより、居住者Ｍの周辺だけでなく、避難経路全体（少なくとも居住者Ｍの周囲全体）が点灯されるので、避難する居住者Ｍは、避難先を明確に認識することができる。また、非常時であることをより明確に居住者Ｍに示すために、ＬＥＤ照明４０Ｅ〜４０Ｋを赤色で点滅発光（図７（Ｂ）参照）させてもよい。
【０１００】
このようにして、建物１０では、内部が暗く且つ非常時の場合に、居住者Ｍの移動を自動で検出すると共に、蓄電装置２４からの電力供給（一部、圧電装置３０の発電）によって照明装置４０を点灯させ、居住者Ｍの移動すべき方向を指し示す。これにより、居住者Ｍは、廊下６２や階段ホール５０の照明装置４０のスイッチを探す必要がなくなる。そして、居住者Ｍは、照明装置４０が点灯された方向へ移動することで、目的の場所へ迷わずに避難することができる。
【０１０１】
また、居住者Ｍが既に他へ移動して居なくなった場所では、圧電装置３０から発電情報が出力されないことから、制御装置２２が照明装置４０を消灯させる。これにより、居住者Ｍが移動元の照明装置４０を消灯させる必要がなくなると共に、移動後の点灯が不要な場所の照明装置４０における無駄な点灯による電力消費を抑えることができる。なお、照明装置４０がＬＥＤ照明なので、白熱灯を用いる構成に比べて消費電力が低くなる。これにより、照明装置４０の点灯に必要な電力を低減することができる。
【０１０２】
以上説明したように、第１実施形態の点灯システム２０では、居住者Ｍが建物１０の内部の通路（廊下６２、階段ホール５０等）を移動（避難）するときに、移動先が自動で明確になると共に照明装置４０の点灯、消灯が自動で行われるので、建物１０における居住者Ｍの居住性を向上させることができる。
【０１０３】
また、点灯システム２０では、非常時に、例えば、制御装置２２が廊下６２側の照明装置４０に加えて天井６７側の照明装置４０も点灯させる。このように、非常時において平常時とは異なる場所の照明装置４０が点灯することで、建物１０の内部の居住者Ｍに非常時であることを認識させることができる。さらに、平常時とは異なる場所の照明装置４０が点灯することで、建物１０の内部の居住者に非難方向を明確に指し示すことができる。
【０１０４】
加えて、点灯システム２０では、制御装置２２が切換部２３（図３参照）を切り換えることにより、平常時に圧電装置３０から照明装置４０へ電力供給し、非常時に圧電装置３０から蓄電装置２４へ切り換えて照明装置４０へ電力供給する。これにより、平常時に圧電装置３０で得られる発電量（電力）が少ない構成であっても、非常時は蓄電装置２４から照明装置４０へ必要量の電力が供給されるので、非常時に照明装置４０へ供給される電力が不足するのを防ぐことができる。
【０１０５】
一方、平常時に蓄電装置２４から照明装置４０へ電力供給し、非常時に蓄電装置２４から圧電装置３０へ切り換えて照明装置４０へ電力供給する構成にしていた場合は、蓄電装置２４に蓄えられている電力を平常時にほぼ使い切っていたとしても、非常時に圧電装置３０から照明装置４０へ電力供給されるので、非常時に照明装置４０へ供給される電力が不足するのを防ぐことができる。
【０１０６】
また、点灯システム２０では、非常時において、平常時の白色とは異なり、赤色のＬＥＤ電球４３が発光する。そして、居住者Ｍは、照明装置４０が平常時とは異なる色で発光していることから非常時であることを認識する。これにより、居住者Ｍに非常時であることを知らせることができる。さらに、既述のように、照明装置４０を点滅点灯することで、居住者Ｍに対して非常時であることをさらに明確に知らせることができる。
【０１０７】
加えて、点灯システム２０では、非常時において、照明装置４０が平常時の点灯の継続時間よりも長い継続時間で点灯（発光）する。これにより、年配者のように歩く速度が遅い居住者Ｍが避難する場合であっても、照明装置４０が長時間点灯するので、居住者Ｍが避難時に迷うのを防ぐことができる。なお、居住者Ｍが避難した後、非常時状態が平常時状態となったときは、制御装置２２が建物１０内部の全ての照明装置４０（照明装置４０の他に設けられた照明装置も含む）を点灯することで、避難していた居住者Ｍが、各自の部屋へ戻ることができる。
【０１０８】
（第２実施形態）
次に、本発明の第２実施形態に係る照明装置の点灯制御システム及び建物の一例について説明する。なお、前述した第１実施形態と基本的に同一の部材には、前記第１実施形態と同一の符号を付与してその説明を省略する。
【０１０９】
図１０には、第２実施形態の照明装置の点灯制御システムの一例としての点灯システム９０の構成がブロック図で示されている。点灯システム９０は、第１実施形態の点灯システム２０（図３参照）に加えて、自然エネルギー発電装置の一例としての太陽光パネル８４と、系統電源８２とが設けられた構成となっている。
【０１１０】
太陽光パネル８４は、建物１０（図１、２参照）の屋根（図示省略）上に取り付けられており、自然エネルギーによる発電の一例である太陽光発電により得られた電力が、ケーブル（図示省略）を介して切換部２３へ供給されるようになっている。また、系統電源８２は、電力会社へ使用料金を支払って電力を得るものであり、ケーブル（図示省略）を介して切換部２３へ電力供給可能に設けられている。
【０１１１】
なお、第１実施形態の点灯システム２０（図３参照）と同様に、第２実施形態の点灯システム９０においても、時間帯、居住者、状況（通常時、非常時）に合わせて、照明装置４０（図６参照）の点灯継続時間、点灯位置、点灯色、及び使用電源が表１のように制御装置２２に設定されている。
【０１１２】
さらに、制御装置２２は、圧電装置３０で発電された電力、蓄電装置２４に蓄えられた電力、及び太陽光パネル８４で発電された電力の全てが、設定した基準電力以下のとき、系統電源８２の電力で照明装置４０を点灯させる設定となっている。また、制御装置２２は、圧電装置３０で発電された電力、蓄電装置２４に蓄えられた電力、及び太陽光パネル８４で発電された電力のうち少なくとも１つの電力が基準電力よりも大きいとき、該基準電力よりも大きい電力が得られるものを用いて照明装置４０を点灯させ、系統電源８２の電力の使用を停止する設定となっている。
【０１１３】
（作用）
次に、第２実施形態の作用について説明する。
【０１１４】
図１０に示す点灯システム９０では、圧電装置３０の電力、蓄電装置２４の電力、及び太陽光パネル８４の電力の全てが基準電力以下のとき、制御装置２２が、系統電源８２の電力で照明装置４０を点灯させる。これにより、圧電装置３０の電力、蓄電装置２４の電力、太陽光パネル８４の電力が、照明装置４０を点灯させるのに不十分な量であっても、照明装置４０を点灯させることができる。
【０１１５】
また、点灯システム９０では、圧電装置３０の電力、蓄電装置２４の電力、及び太陽光パネル８４の電力のうち少なくとも１つの電力が基準電力よりも大きいとき、一例として、蓄電装置２４の電力のみ基準電力よりも大きいとき、蓄電装置２４を使って照明装置４０を点灯させる。これにより、有料である系統電源８２の電力を無駄に使用することが抑制され、電気代を低減することができる。なお、圧電装置３０の電力、太陽光パネル８４の電力が基準電力よりも大きい場合は、圧電装置３０、太陽光パネル８４から供給される電力で照明装置４０を点灯させればよい。
【０１１６】
（第３実施形態）
次に、本発明の第３実施形態に係る照明装置の点灯制御システム及び建物の一例について説明する。なお、前述した第１、第２実施形態と基本的に同一の部材には、前記第１、第２実施形態と同一の符号を付与してその説明を省略する。
【０１１７】
図１１には、第３実施形態の照明装置の点灯制御システムの一例としての点灯システム１００が設けられた階段ホール５０が示されている。また、図１２には、点灯システム１００の構成がブロック図で示されている。点灯システム１００は、第１実施形態の点灯システム２０（図３参照）に加えて、建物１０内部の明るさを測定する照度測定手段の一例としての照度計１０２が設けられた構成となっている。
【０１１８】
図１１及び図１２に示すように、照度計１０２は、階段ホール５０の壁５２のほぼ中央部分に取り付けられており、窓５８から入射した外光ＢＭによって照らされた階段ホール５０内の照度を測定する。また、照度計１０２で得られた照度データは、制御装置２２へ送られるようになっている（図１２の破線の矢印Ｄ）。
【０１１９】
ここで、図１２及び表２に示すように、制御装置２２は、照度計１０２で測定された照度が予め設定した基準照度（一例として５０ルクス）よりも小さいとき、階段ホール５０内部の照明装置４０の点灯状態を平常時と非常時とで切り替え可能とし、照度計１０２で測定された照度が基準照度以上のとき、建物１０内部の照明装置４０を消灯させる設定となっている。
【０１２０】
【表２】
0005844122.tif 000003
【０１２１】
（作用）
次に、第３実施形態の作用について説明する。
【０１２２】
図１１、図１２、及び表２に示すように、点灯システム１００では、照度計１０２で測定された階段ホール５０の照度が基準照度（一例として５０ルクス）よりも小さいとき、制御装置２２は、建物１０の内部の各照明装置４０の制御設定（点灯設定）を平常時から非常時へ切り替え可能となっている。このため、建物１０の内部が基準照度よりも小さい明るさの状態において、平常時から非常時へと状況が変わった場合には、照明装置４０の点灯状態が、図１３（Ａ）に示す平常時から図１３（Ｂ）に示す非常時へと変更される。なお、廊下６２（図８（Ｂ）参照）における照明装置４０の非常時の点灯状態は、第１、第２実施形態と同様であるため、説明を省略する。
【０１２３】
一方、照度計１０２で測定された建物１０の内部の照度が基準照度以上のとき、制御装置２２は、照明装置４０を消灯させる。ここで、建物１０の内部の照度が基準照度以上のときは、建物１０の内部に必要とされる明るさが確保されているため、平常時から非常時へと状況が変わった場合、照明装置４０を消灯させていたとしても、居住者Ｍが通路（避難経路）を認識することができる。これにより、非常時において通路全体（避難経路全体）を照明する必要が無くなり、無駄な電力消費を抑制することができる。
【０１２４】
（参考例）
次に、本発明の参考例に係る照明装置の点灯制御システム及び建物の一例について説明する。なお、前述した第１〜第３実施形態と基本的に同一の部材には、前記第１〜第３実施形態と同一の符号を付与してその説明を省略する。
【０１２５】
図１４には、本発明の参考例の照明装置の点灯制御システムの一例としての点灯システム１１０の構成がブロック図で示されている。また、図１５（Ａ）、（Ｂ）には、点灯システム１１０が設けられた建物１０の外部（玄関１２から東南側部分）が示されている。
【０１２６】
図１４に示すように、点灯システム１１０は、第２実施形態の点灯システム９０（図１０参照）において、圧電装置３０に換えて圧電装置１２０が設けられ、照明装置４０に換えて照明装置１３０が設けられた構成となっている。
【０１２７】
図１５（Ｂ）に示すように、圧電装置１２０は、複数の圧電装置３０（一例として、１２×６個）が地面Ｇに矩形状に並べられて（露出状態で）設置されたものであり、圧電装置１２０上には、後述する車両Ｃ（図１６（Ｂ）参照）が駐車されるようになっている。
【０１２８】
照明装置１３０は、車両Ｃが出し入れされる南側を除いて、圧電装置１２０の三方向を囲む複数のＬＥＤ照明４０Ａで構成されている。また、圧電装置１２０の南側端部の距離Ｌ１の範囲（一例として、圧電装置３０の２×６個に相当する範囲）は、周囲にＬＥＤ照明４０Ａが設けられていない。
【０１２９】
図１４に示すように、点灯システム１１０では、圧電装置１２０において車両Ｃ（図１６（Ｂ）参照）の荷重により発電したとき、発電したことを知らせる発電情報（矢印Ｍ１）が、制御装置２２へ送られる。また、蓄電装置２４に蓄えられている電力量の情報（矢印Ｍ２）は、制御装置２２へ送られる。
【０１３０】
圧電装置１２０で生じた電力は、切換部２３及び蓄電装置２４の少なくとも一方に供給されるようになっている。なお、圧電装置１２０で生じた電力の供給先は、一例として、制御装置２２からの指示情報又は設定パネル２６の設定によって切り換えられる。そして、蓄電装置２４に蓄えられている電力は切換部２３へ供給される。
【０１３１】
一方、制御装置２２は、圧電装置１２０で発電された電力、蓄電装置２４で蓄えられた電力、太陽光パネル８４の電力、系統電源８２の電力のいずれを使用するかという切換情報（矢印Ｍ３）を切換部２３へ送る設定となっている。なお、本実施形態では一例として、圧電装置１２０で発電された電力を用いる設定となっている。
【０１３２】
（作用）
次に、参考例の作用について説明する。
【０１３３】
図１４及び図１６（Ａ）に示すように、車両Ｃ（図１６（Ｂ）参照）が圧電装置１２０上に駐車されない場合は、照明装置１３０（複数のＬＥＤ照明４０Ａ）が全て消灯されている。なお、ＬＥＤ照明４０Ａの消灯を黒丸で図示している。また、以後の説明では、ＬＥＤ照明４０Ａの点灯を白丸で図示する。
【０１３４】
続いて、図１４及び図１６（Ｂ）、（Ｃ）に示すように、車両Ｃの駐車動作が開始され、車両Ｃの後部が圧電装置１２０上に載ったとき、車両Ｃの重量によって（荷重を受けて）圧電装置１２０で発電が行われ、得られた電力が複数のＬＥＤ照明４０Ａへ供給される。また、圧電装置１２０から出力された発電情報（圧電装置１２０のどの場所が発電を行ったかという情報）が、車両Ｃの位置情報として制御装置２２に入力される。
【０１３５】
ここで、制御装置２２は、車両Ｃの位置情報に基づいて、車両Ｃの移動方向（駐車方向）にある複数のＬＥＤ照明４０Ａを白色点灯（一例として３秒間継続する点灯）させる。これにより、運転者（図示省略）が車両Ｃの移動先（駐車可能な領域）を認識できる。そして、運転者は、点灯されたＬＥＤ照明４０Ａの配置を参考にして、車両Ｃを駐車する。なお、図１６（Ｂ）では駐車方向における前方から中央までのＬＥＤ照明４０Ａが点灯しており、後方のＬＥＤ照明４０Ａは消灯している。
【０１３６】
続いて、図１４及び図１６（Ｄ）に示すように、一例として、圧電装置１２０から発電情報が出力されず、即ち、車両Ｃの移動が検知されなくなった場合、制御装置２２は、車両Ｃの駐車が完了したものとして、複数のＬＥＤ照明４０Ａを消灯させる。なお、車両Ｃの駐車の完了は、圧電装置１２０の手前側のＬ１の範囲（図１５（Ｂ）参照）において発電が行われなくなったことに基づいて検知してもよい。また、車両Ｃの駐車中に火災等の非常時となった場合は、制御装置２２が複数のＬＥＤ照明４０Ａを赤色点灯させ、あるいは点滅させることで、運転者に非常時を知らせることができる。
【０１３７】
このように、点灯システム１１０では、車両Ｃの運転者は駐車領域を探さなくて済む。また、車両Ｃが既に他へ移動して存在していない場所では、圧電装置１２０から発電情報が出力されないことから、制御装置２２が照明装置１３０を消灯させる。これにより、車両Ｃの運転者が移動元の照明装置１３０を消灯させる必要がなくなる。以上説明したように、点灯システム１１０では、車両Ｃを建物１０の外部の駐車場に駐車させるときに、移動先が明確になると共に照明装置１３０の点灯、消灯が自動で行われるので、車両Ｃの駐車を容易に行うことができ、建物１０の居住性（駐車場への駐車の容易性も居住性に含む）を向上させることができる。
【０１３８】
なお、本発明は上記の実施形態に限定されない。
【０１３９】
第１、第２実施形態の点灯システム２０、９０において、ＬＥＤ電球４２、４３の色は、白色、赤色に限らず、青色や他の色を用いてもよい。また、ＬＥＤ照明４０Ａ〜４０Ｋの形状は、丸形や楕円形に限らず、多角形状であってもよい。さらに、照明装置４０の電源として、圧電装置３０、蓄電装置２４、太陽光パネル８４、及び系統電源８２のいずれを用いてもよい。
【０１４０】
照明装置４０の点灯継続時間は、実施形態で記載した３秒、７秒、１５秒、２０秒に限らず、居住者Ｍの歩行速度や暗所での光の識別能力に合わせて、他の時間で設定してもよい。また、居住者Ｍの移動を検知する手段は、圧電装置３０に限らず、赤外線を用いた人感センサなど、他の検知手段を部屋の入口付近に設けていてもよい。さらに、７時〜１７時の時間帯において、通常は明るいため照明装置４０を点灯させなくてもよいが、非常時の場合に、居住者Ｍに非常時であることを明確に知らせるために、照明装置４０を赤色点灯あるいは点滅点灯させて知らせてもよい。
【０１４１】
なお、非常時の他の例として、停電時の場合は、玄関１２までの避難経路の照明装置４０を点灯させずに、別途、設けた照明装置４０を点灯させて、居住者Ｍを建物１０内部のブレーカーがある場所まで案内してもよい。
【０１４２】
第３実施形態の点灯システム１００において、系統電源８２及び太陽光パネル８４を接続して、電力供給可能に設けると共に、基準電力よりも電力が大きいものを使用するように設定してもよい。また、照度計１０２は、階段ホール５０に限らず、廊下６２や玄関１２の内部に設置してもよい。
【０１４３】
参考例の点灯システム１１０において、複数のＬＥＤ照明４０Ａを１つおきに点灯させ、平常時と非常時で点灯位置を換えるように構成してもよい。また、地面Ｇと間隔をあけて鉛直上方で水平に複数のＬＥＤ照明４０Ａを並べて、運転者から発光場所が確認しやすいように構成してもよい。
【０１４４】
自然エネルギー発電装置とは、太陽光発電装置（太陽光パネル８４）に限られるものではなく、その他の自然エネルギーを利用した発電装置でもよい。風力発電、水力発電、潮力発電、波力発電、海流発電、地熱発電等、他の自然エネルギーを使用した発電装置でもよい。例えば、一例として、地熱発電には、ドライスチーム、バイナリーサイクル（温水発電応用）、高温岩体発電、マグマ発電等があり、これらの自然エネルギーは、雨の日や夜間（暗いとき）でも、常時、電力の安定供給が可能な発電であり、夜間の発電電力の供給不足の際、「夜間の非常時」において、特に有効である。風力発電、水力発電、潮力発電、波力発電、海流発電等も、太陽光の減少の供給量変化の影響が低い。尚、これらの自然エネルギーを含む発電装置は建物に少なくとも一部が容易に設置可能であるものが望ましい。
【符号の説明】
【０１４５】
１０  建物
２０  点灯システム（照明装置の点灯制御システムの一例）
２２  制御装置
２４  蓄電装置
３０  圧電装置（発電装置の一例）
４０  照明装置
４２  ＬＥＤ電球（発光部の一例）
４３  ＬＥＤ電球（発光部の一例）
８２  系統電源
８４  太陽光パネル（自然エネルギー発電装置の一例）
９０  点灯システム（照明装置の点灯制御システムの一例）
１００  点灯システム（照明装置の点灯制御システムの一例）
１０２  照度センサ（照度測定手段の一例）
１１０  点灯システム（照明装置の点灯制御システムの一例）
１２０  圧電装置（発電装置の一例）
１３０  照明装置
Ｃ  車両
Ｍ  居住者
【図１】
0005844122.tif 000004
【図２】
0005844122.tif 000005
【図３】
0005844122.tif 000006
【図４】
0005844122.tif 000007
【図５】
0005844122.tif 000008
【図６】
0005844122.tif 000009
【図７】
0005844122.tif 000010
【図１０】
0005844122.tif 000011
【図１１】
0005844122.tif 000012
【図１２】
0005844122.tif 000013
【図１４】
0005844122.tif 000014
【図８】
0005844122.tif 000015
【図９】
0005844122.tif 000016
【図１３】
0005844122.tif 000017
【図１５】
0005844122.tif 000018
【図１６】
0005844122.tif 000019